(57)【特許請求の範囲】
【請求項１】
即席めんなどの食材が収納される容器本体と、該容器本体内に納められる内容器蓋と、該容器本体に係合する外容器蓋と、で構成される即席食品容器であって、
前記容器本体は、上端部に外側に向かって突出する係止部を周設すると共に、下方に向かってテーパ状に縮径されるカップ状の収納部を形成して成り、
前記内容器蓋は、上端部に内側又は外側に向かって突出する係止部を周設すると共に、下方に向かってテーパ状に縮径される嵌合壁と、底面部を備える容器蓋を形成して成り、
前記外容器蓋は、下端部に内側に向かって突出する係止部を周設すると共に、下方が開口される開口部と、天面部を備える容器蓋を形成して成り、
前記内容器蓋のテーパ状の嵌合壁の外壁面が前記容器本体における収納部のテーパ状の内壁面に当接するように上方から挿嵌し、且つ、該内容器蓋の係止部に前記外容器蓋の天面部の内壁面を当接させて押し込んだ状態で、前記外容器蓋の係止部と前記容器本体の係止部とを係合させることで、前記容器本体と前記内容器蓋と前記外容器蓋とが嵌合圧が掛かった状態で相互に封止状態となることを特徴とする即席食品容器。
【請求項２】
前記内容器蓋の底面部に、湯切り用穴を設けたことを特徴とする請求項１記載の即席食品容器。
【請求項３】
前記容器本体と、前記内容器蓋と、前記外容器蓋とが、合成樹脂素材または生分解性素材により其々一体成型されて成ることを特徴とする請求項１記載又は請求項２記載の即席食品容器。
【請求項４】
前記内容器蓋と前記外容器蓋とが一体成型され、該内容器蓋の外壁面と外容器蓋の側壁内面によって形成される凹部に前記容器本体の係止部を挿入可能とすると共に、上方または下方が開口する収納空間を形成し、且つ、該収納空間の一部に押し込み式の通気孔または湯通し穴を設け、その上面にシールを貼着したことを特徴とする請求項３記載の即席食品容器。
【発明の詳細な説明】
【技術分野】
【０００１】
本発明は、包装時と熱湯調理時において、容器本体と内容器蓋と外容器蓋とが相互に封止状態となる嵌合式と冠着式を併用した即席食品容器に関する。
【背景技術】
【０００２】
従来より、即席食品容器に使用される蓋体は、アルミ箔、紙、合成樹脂フィルム等を組み合わせた単層または多層材料で形成されている。例えば、カップ開口縁部を紙、ポリエチレン、アルミ箔等の多層シートからなる蓋体にヒートシールラッカーを塗布してヒートシールするイージーヒール型の即席食品容器と、ポリスチレン樹脂やポリプロピレン樹脂シートなどの単層シート材料を真空成形法などによりシート成形し、容器本体の開口部に係合させて嵌合する冠着型の即席食品容器とがある。
【０００３】
しかしながら、上記のイージーヒール型や冠着型の即席食品容器は、下記に示すような問題点が指摘されるものである。
（ａ）イージーヒール蓋は、一旦蓋を剥がすと再封性（リクローズ性）がないため、蓋体と容器本体の密封性が維持されないことから、熱湯調理中に蓋体が捲れ上がったり、一度食べ始めたら一挙に食べ切らなければならないという問題。
（ｂ）容器本体の包装フィルムに貼付されたラベルを剥がし、再びイージーヒール蓋に貼り付けて熱湯調理する際に、包装フィルムからラベルを勢い余って剥がし過ぎたり、貼り付けたラベルが開封口を完全に封止できなかったりして密封性が維持できないという問題。
（ｃ）容器本体が環境保護の観点から発泡樹脂製から紙製に切り替えられるに伴い、蓋体も合成樹脂製のものが控えられるようになったことから、複雑形状の成型が可能な合成樹脂製の蓋体の使用が減少することになり、その結果再封性と分別廃棄性が劣るイージーヒール蓋を使わざる負えないという問題。
（ｄ）アルミ箔などの金属成分が含まれる多層材料で形成されるイージーヒール蓋は、最終品質検査時において金属探知器に反応してしまうため、ヒートシール工程以降の金属探知検査体制が取れないという問題。
（ｅ）容器本体や蓋体の素材にアルミ箔や石油資源樹脂材料が使用されているため、即席食品容器の最終廃棄時には有害廃棄物処分となり、資源の有効利用が図れないという問題。
（ｆ）再封性がない上に密封性が持続されないため、ドライブ中や車両内での携帯用食品容器として使用できないという問題。
（ｇ）即席食品容器が熱湯調理時や食事時に転倒すると手や足にヤケドを負う危険性があることや、熱湯調理された即席めんを容器本体から直接食した場合、高温のスープによって口や舌にヤケドを負う危険性があるという問題。
（ｈ）即席食品容器の使用後は、容器本体とアルミ箔蓋が家庭用のゴミとして出されるため、廃棄時の分別廃棄作業が必要であるという問題。
（ｉ）容器本体に凹凸溝や逆テーパ部などが形成されることで、複雑な金型の製作が必要となるため、製造原価のコスト高に繋がるという問題。
（ｊ）キャップ状の膨出蓋体が、容器本体の上部に大きく突出して即席食品容器全体ならびに梱包容積を大きくしてしまうという問題。
【０００４】
従来より、上記の問題点を解決する手段を備えた容器として、外容器蓋と内容器蓋と容器本体とで構成される即席食品容器が提案されている。
【０００５】
例えば、冷凍の麺類を乾燥させることがなく、あるいは、反対にふやけさせることなく冷凍麺類を解凍でき、かつ、解凍と麺類のつゆを同時に調理することができる「冷凍麺類を電子レンジで調理するための容器」（特許文献１）が提案されている。
【０００６】
しかしながら、上記「冷凍麺類を電子レンジで調理するための容器」の提案は、第一の容器と、前記第一の容器の内部に収納される第二の容器と、蓋とを有し、前記第一の容器は、調理対象の麺類のつゆあるいは前記麺類を解凍するための水分を貯留する内部空間を有し、前記第二の容器は、前記麺類を収納する内部空間を有し、底壁に水蒸気を流通可能な複数の開口部を有し、前記第二の容器は、その底面が前記第一の容器に貯留される調理対象麺類のつゆあるいは前記麺類を解凍するための水分の液面より高くなるように、前記第一の容器によって支承されている調理用容器の提案であって、包装時と熱湯調理時において、本発明のように容器本体と内容器蓋とが嵌合ならびに当接され、さらに該容器本体が外容器蓋と係止され、それらが相互に封止状態となって封入性と再封性と密封性を備える即席食品容器ではなかった。
【０００７】
また、湯戻しするだけで喫食可能な、即食性のある湯戻し用生麺・半生麺及び該麺の製造方法を提供すると共に、前記生麺を収容可能な「生麺又は半生麺、該麺を収納可能な湯戻し用容器、並びに、前記麺の製造方法」（特許文献２）が提案されている。
【０００８】
しかしながら、上記「生麺又は半生麺、該麺を収納可能な湯戻し用容器、並びに、前記麺の製造方法」の提案は、単純に浅底中蓋を長筒形状カップと上蓋で挟んだ湯戻し用容器を使用した生麺又は半生麺の製造方法であって、包装時と熱湯調理時において、本発明のように容器本体と内容器蓋とが嵌合ならびに当接され、さらに該容器本体が外容器蓋と係止され、それらが相互に封止状態となって封入性と再封性と密封性を備える即席食品容器ではなかった。
【０００９】
また、茹でられた麺と麺つゆとを別にして収容しておく麺類容器において、麺類を麺つゆ中に落とす際に麺つゆがはねることを回避でき、且つ麺類に手で触れなくても済むようにする「麺類容器」（特許文献３）が提案されている。
【００１０】
しかしながら、上記「麺類容器」の提案は、麺つゆが入れられる容器本体の上部に、開口を有する中皿を配し、この中皿の上に、上記開口を閉じて麺が載せられる仕切り板を取り外し可能に載置し、中皿の上の空間を蓋で閉じて麺類容器を構成する麺類容器の提案であって、包装時と熱湯調理時において、本発明のように容器本体と内容器蓋とが嵌合ならびに当接され、さらに該容器本体が外容器蓋と係止され、それらが相互に封止状態となって封入性と再封性と密封性を備える即席食品容器ではなかった。
【００１１】
また、茹で上げた麺類が延びてしまうのを防止し、調製された状態に近い状態で食することができる「麺類容器」（特許文献４）が提案されている。
【００１２】
しかしながら、上記「麺類容器」の提案は、麺類容器が、濃縮ソースが入れられる容器本体と、この容器本体の上部に取り外し可能に嵌合されると共に茹で上げたパスタが載せられ多数の細孔がその底部に形成された仕切り皿と、容器本体の上部に取り外し可能であって且つ液密的に嵌合された蓋と、を備えた三重構造をなし、パスタに付着した水分が仕切り皿の細孔から濃縮ソース内に落下し、水分によってパスタが延びないように構成されており、さらに仕切り皿の底部には、放射状に延びる複数のミシン目が形成され、フォーク等でこのミシン目を切り離すことにより、仕切り皿を取り外すことなしにパスタを濃縮ソースの中に落下させ、混ぜ合わせることができる麺類容器の提案であって、包装時と熱湯調理時において、本発明のように容器本体と内容器蓋とが嵌合ならびに当接され、さらに該容器本体が外容器蓋と係止され、それらが相互に封止状態となって封入性と再封性と密封性を備える即席食品容器ではなかった。
【００１３】
また、熱湯を注いで容器本体内のめん類等の食品を軟化復元したのち、残余の熱湯を除去して食品を食するようにした「即席食品用容器」（特許文献５）が提案されている。
【００１４】
しかしながら、上記「即席食品用容器」の提案は、予め蓋主体を二重構造として、その間に排湯をすべて移動させることにより、排湯を受ける容器や流しを必要とする不便を一掃したものであって、さらに一旦容器全体を上下反転して逆さまとした後は再び元の状態に戻す必要がなく、取り扱いを容易とする即席食品用容器の提案である。
【００１５】
さらに詳細には、容器主体内に内側部材の周壁の下縁が垂下没入している構造は、単純に容器主体の内壁に蓋主体の周壁が蓋主体の自重で重なっているに過ぎないものであって、積極的に嵌合され且つ押し込みストロークならびに嵌合圧を有して押し込まれていないものであり、この構造による容器主体内と蓋主体は互いに封止状態を形成するものではない。さらに外側部材と容器主体の係止手段は、容器主体のつば部に外側部材の係止片が係止して密接状態に接続されているとされているが、図面上では係止片の形状が容器主体のつば部の側面に係止されている状態で形成されているもので、容器全体を上下反転する必要性があるため積極的に容器主体のつば部をオーバーハングして係止状態を維持する構造となっていないものである。つまり包装時と熱湯調理時において、本発明のように容器本体と内容器蓋とが嵌合ならびに当接され、さらに該容器本体が外容器蓋と係止されることによって、それらが相互に封止状態となって封入性と再封性と密封性を備える即席食品容器ではなかった。
【００１６】
一方、テーパと嵌合構造を有して形成される即席食品容器としては、底壁周縁から内周壁を突出させると共に該内周壁上端から鍔部を介して又は直接にテーパ状外周壁を垂下させ、鍔部又は内周壁或いは外周壁上端部に適宜数の透孔を穿設させた「食器」（特許文献６）や、合成樹脂発泡体により容器本体とその開口縁部内周に嵌合し得る蓋体を形成してなり、蓋体と容器本体との接触面の一方に熱湯による加熱時の蒸気排出用凹部を設けた「即席食品用容器」（特許文献７）や、即席麺などの食材を収納するテーパ状に形成される容器本体と、該容器本体に嵌合して納められる蓋体と、該容器本体と蓋体とを包装するフィルム包装体と、で構成される即席食品容器であって、前記蓋体が、上端部に鍔部を形成すると共に、下方に向かってテーパ状に縮形する収納空間部を有する筒状のテーパ嵌合壁と、該テーパ嵌合壁の内壁面に形成される蓋天板と、該蓋天板の周縁近くに設けられる通気孔を塞ぐ密封シールと、で構成される「即席食品容器」（特許文献８）が提案されている。
【００１７】
しかしながら、上記「食器」の提案や「即席食品用容器」の提案、「即席食品容器」の提案は、何れも嵌合されたテーパ状の蓋体が単に容器本体の内壁面に垂下された状態で嵌合状態になっているに過ぎず、嵌合することによって発生する嵌合圧を積極的に利用して封止効果を求める構造を採用しておらず、また「即席食品用容器」や「即席食品容器」の提案は、テーパ状の蓋体が嵌合圧でもって嵌合されている状態を維持する手段を有しておらず、さらに「食器」の提案は、テーパ状の食器が容器本体を塞いでいる蓋体の間に隙間が存在していることで上記同様に嵌合されている状態を維持する手段を有していないもので、包装時と熱湯調理時において、本発明のように容器本体と内容器蓋とが嵌合ならびに当接され、さらに該容器本体が外容器蓋と係止されることによって、それらが相互に封止状態となって封入性と再封性と密封性を備える即席食品容器ではなかった。
【００１８】
以上のように、従来の冠着型の即席食品容器は、再封性は良いが密封性が悪く、一方イージーヒール型の即席食品容器は、密封性は良いが再封性が悪いといった、其々相反する特徴を持つものであるが、現在市販されている即席食品容器の多くは、容器本体から蓋体を開封した時の食材とバラ入り具材の見た目の美しさと、調味料袋の開封作業を必要としないことや、２００８年より環境保護の観点から、発泡ポリエチレン断熱皮膜加工を施した紙製カップへと切り替えられたのを機に、多くの製造メーカーがイージーヒール型の即席食品容器を採用するようになってきた。
【００１９】
本出願人は、従来型のイージーヒール型や冠着型の即席食品容器における問題点（消費者が不自由に感じている点）が多いことに着目し、現在主流となっているアルミ箔蓋を使用したイージーヒール型の即席食品容器に代って、製造コストの低廉と、何よりも消費者の安全性の確保、品質ならびに利便性の維持、そして地球環境にも優しい即席食品容器ができないものかという着想の下、包装時と熱湯調理時において容器本体と内容器蓋と外容器蓋とが相互に封止状態となる嵌合式と冠着式を併用したオール紙製とすることができる即席食品容器を開発し、本発明の「即席食品容器」提案に至るものである。
【先行技術文献】
【特許文献】
【００２０】
【特許文献１】特開２００６-５１０８８号公報
【特許文献２】特開２００５-３１８８３２号公報
【特許文献３】特開２００１-３４８０７４号公報
【特許文献４】特開２００５-５８１００号公報
【特許文献５】実開平４-８０８７２号公報
【特許文献６】実開昭５１-１３４５０９号公報
【特許文献７】実開昭５７-１４３１７８号公報
【特許文献８】特開２０１１-４６４５０号公報
【発明の概要】
【発明が解決しようとする課題】
【００２１】
本発明は上記問題点に鑑み、包装時と熱湯調理時において、容器本体と内容器蓋と外容器蓋とが嵌合圧が掛かった状態で相互に封止状態となる即席食品容器を提供することを課題とする。
【課題を解決するための手段】
【００２２】
上記課題を解決するため、本発明の即席食品容器は、即席めんなどの食材が収納される容器本体と、該容器本体内に納められる内容器蓋と、該容器本体に係合する外容器蓋と、で構成される即席食品容器であって、前記容器本体は、上端部に外側に向かって突出する係止部を周設すると共に、下方に向かってテーパ状に縮径されるカップ状の収納部を形成して成り、前記内容器蓋は、上端部に内側又は外側に向かって突出する係止部を周設すると共に、下方に向かってテーパ状に縮径される嵌合壁と、底面部を備える容器蓋を形成して成り、前記外容器蓋は、下端部に内側に向かって突出する係止部を周設すると共に、下方が開口される開口部と、天面部を備える容器蓋を形成して成り、前記内容器蓋のテーパ状の嵌合壁の外壁面が前記容器本体における収納部のテーパ状の内壁面に当接するように上方から挿嵌し、且つ、該内容器蓋の係止部に前記外容器蓋の天面部の内壁面を当接させて押し込んだ状態で、前記外容器蓋の係止部と前記容器本体の係止部とを係合させることで、前記容器本体と前記内容器蓋と前記外容器蓋とが嵌合圧が掛かった状態で相互に封止状態となる手段を採る。
【００２３】
また本発明は、前記内容器蓋の底面部に、湯切り用穴を設けた手段を採る。
【００２４】
また本発明は、前記容器本体と、前記内容器蓋と、前記外容器蓋とが、合成樹脂素材または生分解性素材により其々一体成型されて成る手段を採る。
【００２５】
また本発明は、前記内容器蓋と前記外容器蓋とが一体成型され、該内容器蓋の外壁面と外容器蓋の側壁内面によって形成される凹部に前記容器本体の係止部を挿入可能とすると共に、上方または下方が開口する収納空間を形成し、且つ、該収納空間の一部に押し込み式の通気孔または湯通し穴を設け、その上面にシールを貼着した手段を採る。
【発明の効果】
【００２６】
本発明の即席食品容器によれば、内容器蓋のテーパ状の嵌合壁の外壁面を容器本体における収納部のテーパ状の内壁面に当接するように上方から挿嵌し、さらに、該内容器蓋の係止部に外容器蓋の天面部の内壁面を当接させて押し込んだ状態で、外容器蓋の係止部と容器本体の係止部とを係合させることで、包装時と熱湯調理時において、容器本体と内容器蓋と外容器蓋とが嵌合圧が掛かった状態で相互に封止状態となるため、封入性と再封性と密封性が維持できるという優れた効果を奏する。
【００２７】
また、本発明の即席食品容器によれば、即席食品容器を構成する容器本体と内容器蓋と外容器蓋とが紙を主体とした素材により形成されることで、廃棄時の即席食品容器の資源再生が可能となると共に、家庭用ゴミとしての分別廃棄作業が不要であるといった優れた効果を奏する。
【００２８】
また、本発明の即席食品容器によれば、容器本体と内容器蓋と外容器蓋を嵌合させて押し込む方式を採用しているため、即席食品容器製造時におけるヒートシール工程が省略され、製造コストの低廉が図られるという優れた効果を奏する。
【００２９】
また、本発明の即席食品容器によれば、複雑形状の成型が可能な合成樹脂製の蓋体に替わって単純形状の紙製の容器本体と内容器蓋と外容器蓋を組み合わせて使用することで、食品安全と地球環境に配慮した即席食品容器を提供することができるといった優れた効果を奏する。
【００３０】
また、本発明の即席食品容器によれば、容器本体と内容器蓋と外容器蓋の嵌合・係止手段を形成する形状が単純構造であるため、即席食品容器の製造コストの低廉が図られるという優れた効果を奏する。
【００３１】
また、本発明の即席食品容器によれば、容器本体と内容器蓋と外容器蓋を嵌合させて押し込む方式を採用しているため、転倒によるヤケドの危険性や、一度に食事を完了させなくても済むという安全性に優れた効果を奏する。
【００３２】
また、本発明の即席食品容器によれば、内容器蓋と外容器蓋を取り皿や小皿として利用することができるもので、熱湯調理された食材を容器本体から直接食した場合、高温のスープによって口や舌がヤケドすることを防止することが可能であるといった優れた効果を奏する。
【００３３】
また、本発明の即席食品容器によれば立カップやドンブリカップや角型トレーカップ形状とする即席食品容器が熱湯調理時に転倒したり傾いた場合であっても、熱湯やスープ、液状の調理素材などが漏れ出すことがないことから、生ラーメン、生うどん、蕎麦、焼きそば、スパゲッティ、カレーライス、シチュー、調理ご飯などが弁当仕出し店、ドライブイン、コンビニ、サービスエリアの飲食店などで店頭販売されるテイクアウト用やドライブスルー用の食品容器として利用することができるといった優れた効果を奏する。
【００３４】
また、本発明の即席食品容器によれば、イージーヒール型の即席食品容器の最大の欠点とされるラベルによる便利性と密封性の問題と、アルミ箔蒸着蓋による分別廃棄性の問題と、転倒によるヤケドなどの安全性の問題を解決することができるため、消費者と地球に優しい即席食品容器が提供できるという優れた効果を奏する。
【００３５】
また、本発明の即席食品容器によれば、バラ入り具材が封入される即席食品容器や、焼そば、生めん、スパゲッテイ、つけ麺などが収納される即席食品容器（立カップ、ドンブリカップ、角型トレーカップ）の製造段階の成形型枠として、共通の型枠を使用することが可能であって、その中の内容器蓋を若干の仕様変更を加えることで各其々の即席食品容器として使用できるという優れた効果を奏する。
【００３６】
また、本発明の即席食品容器によれば、各構成要素が合成樹脂素材で製造されることにより、製造原価のコストダウンが図れると共に複雑形状の容器蓋が成形することができるため、内容器蓋と外容器蓋の一体化を図ることができる。また、各構成要素が生分解性素材で製造されることにより、ごみを出さない、植栽コスト削減、植物を痛めないなど、環境循環型リサイクルの地球環境に優しい即席食品容器を提供することができるといった優れた効果を奏する。
【００３７】
また、本発明の即席食品容器によれば、内容器蓋の収納空間にトレーディングカード、クジ袋、ＰＲカード、キャラクターおもちゃ、試食品などを入れることにより、視覚的効果が高い販売促進の宣伝手段が図られるという優れた効果を奏する。
【００３８】
また、本発明の即席食品容器によれば、容器本体に内容器蓋や外容器蓋が設けられていることによって、使用後の再利用の用途が多目的になされるもので、例えば、植木鉢、貯金箱、小物入れ、コースター、ペン立て、簡易如雨露、簡易昆虫籠などに再利用することもできるといった優れた効果を奏する。
【図面の簡単な説明】
【００３９】
【図１】本発明の請求項１記載の即席食品容器における実施形態を示す説明図である。（実施例１）
【図２】本発明の請求項１記載の即席食品容器における断面説明図である。
【図３】本発明の請求項１記載の即席食品容器における使用状態を示す説明図である。
【図４】本発明の請求項２記載の即席食品容器における実施形態を示す説明図である。（実施例２）
【図５】本発明の請求項２記載の即席食品容器における断面説明図である。
【図６】本発明の請求項２記載の即席食品容器における使用状態を示す説明図である。
【図７】本発明の請求項２記載の即席食品容器における別の実施形態を示す説明図である。
【図８】本発明の請求項３記載の即席食品容器における実施形態を示す断面説明図である。（実施例３）
【図９】本発明の請求項４記載の即席食品容器における実施形態を示す断面説明図である。（実施例４）
【発明を実施するための形態】
【００４０】
本発明の即席食品容器１０は、即席めんなどの食材Ｓが収納される容器本体２０と、該容器本体２０内に納められる内容器蓋３０と、該容器本体２０に係合する外容器蓋４０と、で構成される即席食品容器１０であって、前記容器本体２０は、上端部に外側に向かって突出する係止部２１を周設すると共に、下方に向かってテーパ状に縮径されるカップ状の収納部２２を形成して成り、前記内容器蓋３０は、上端部に内側に向かって突出する係止部３１を周設すると共に、下方に向かってテーパ状に縮径される嵌合壁３２と、底面部３４を備える容器蓋を形成して成り、前記外容器蓋４０は、下端部に内側に向かって突出する係止部４１を周設すると共に、下方が開口される開口部４２と、天面部４３を備える容器蓋を形成して成り、前記内容器蓋３０のテーパ状の嵌合壁３２の外壁面３３を前記容器本体２０における収納部２２のテーパ状の内壁面２３に当接するように上方から挿嵌し、且つ、該内容器蓋３０の係止部３１に前記外容器蓋４０の天面部４３の内壁面４４を当接させて押し込んだ状態で、前記外容器蓋４０の係止部４１と前記容器本体２０の係止部２１とを係合させることで、前記容器本体２０と前記内容器蓋３０と前記外容器蓋４０とが嵌合圧が掛かった状態で相互に封止状態となる手段を採ったことを最大の特徴とする。以下、本発明に係る即席食品容器１０の実施形態を、図面に基づき説明する。
【００４１】
また、本実施例で示される即席食品容器１０の容器本体２０と内容器蓋３０と外容器蓋４０の形態は、下記に述べる実施例に特に限定されるものでなく、本発明の技術的思想に逸脱しない範囲で任意に変更することが可能である。
【００４２】
また、図示では紙を主体とした形状を表示しているが、合成樹脂素材等を使用する場合は、該容器本体２０と内容器蓋３０と外容器蓋４０とは、其々が一体成形されて構成されるものである。
【実施例１】
【００４３】
図１は、本発明の請求項１記載の即席食品容器１０における実施形態を示す説明図であり、図１（ａ）は全体斜視図、図１（ｂ）は分解斜視図を示す。
本発明の即席食品容器１０は、即席めんなどの食材Ｓが収納される容器本体２０と、該容器本体２０内に納められる内容器蓋３０と、該容器本体２０に係合する外容器蓋４０と、で構成されるもので、バラ入り具材入り即席めん仕様と調味料袋付き即席めん仕様の即席食品容器１０に分類されて使用される。
【００４４】
また、即席食品容器１０は、バラ入り具材入り即席めんや調味料袋付き即席めんが収納される即席食品容器と、焼そば、生めん、スパゲッテイ、つけ麺などが収納される即席食品容器（立カップ、ドンブリカップ、角型トレーカップ）との製造段階の成形枠として、共通の型枠を使用することができるもので、その中の内容器蓋を若干の仕様変更を加えることで、上記食材其々の専用食品容器として使用することができる。
【００４５】
また、即席食品容器１０における容器本体２０の寸法について、特に限定はないが、例えば高さ１１０ｍｍ、上部開口径（内寸）８９ｍｍ、下部開口径（内寸）６５ｍｍ、厚さ１ｍｍの寸法形状を有して形成される。
【００４６】
図１（ｃ）は、容器本体２０と、内容器蓋３０と、外容器蓋３０が相互に封止状態となる説明図である。
本発明の即席食品容器１０の構造上の最大の特徴は、内容器蓋３０のテーパ状の嵌合壁３２の外壁面３３が容器本体２０における収納部２２のテーパ状の内壁面２３に当接するように該内容器蓋３０を上方から容器本体２０の収納部２２内に挿嵌し、さらに、該内容器蓋３０の係止部３１に外容器蓋４０の天面部４３の内壁面４４が当接するように該外容器蓋４０を押し込んだ状態で、外容器蓋４０の係止部４１と容器本体２０の係止部２１とを係合させることで、容器本体２０と内容器蓋３０と外容器蓋４０とが相互に封止状態となることで、封入性と再封性と密封性を備えることができるものである。
【００４７】
図２は、本発明の請求項１記載の即席食品容器１０における断面説明図であり、図２（ａ）は各部品構成の断面を示している。
即席食品容器１０は、内容器蓋３０のテーパ状の嵌合壁３２の外壁面３３が容器本体２０における収納部２２のテーパ状の内壁面２３に当接するように内容器蓋３０を上方から容器本体２０の収納部２２内に挿嵌し、さらに、該内容器蓋３０の係止部３１に外容器蓋４０の天面部４３の内壁面４４が当接するように該外容器蓋４０を押し込んだ状態で、外容器蓋４０の係止部４１と容器本体２０の係止部２１とを係合させることで、容器本体２０と内容器蓋３０と外容器蓋４０とが相互に封止状態となる構造を有する。
【００４８】
さらに詳しくは、内容器蓋３０と容器本体２０の嵌合状態が緩んだ場合について、図２（ｂ）における（３）の状態を元に説明すれば、挿嵌された内容器蓋３０のテーパ状の嵌合壁３２の外壁面３３が、容器本体２０の収納部２２のテーパ状の内壁面２３に当接している状態から何らかの要因で緩もうとして上方に移動すると、内容器蓋３０の係止部３１が外容器蓋４０の天面部４３の内壁部４４に当接して移動が阻止され密封状態が強化されると同時に、外容器蓋４０の係止部４１が容器本体２０の係止部２１に食い込んで、外容器蓋４０と容器本体２０の係止部４１，２１の係止状態がさらに強化されることとなる。これにより、振動や衝撃で充填される即席めんが容器本体２０外に飛び出そうとすると、即席食品容器１０を構成する容器本体２０と内容器蓋３０と外容器蓋４０とが相互に強固な封止状態となるものである。
【００４９】
容器本体２０は、紙を主体として紙／ポリエチレン、ポリエチレン／紙／ポリエチレンを組み合わせた多層材料の素材で成形加工され、上端部に外側に向かって周設される係止部２１を形成すると共に、下方に向かってテーパ状に縮径されるカップ状の収納部２２を形成している。
【００５０】
内容器蓋３０は、紙を主体とした単層材料の素材で成形加工され、上端部に内側に向かって周設される係止部３１を形成すると共に、下方に向かってテーパ状に縮径される嵌合壁３２と、板状の底面部３４を備える容器蓋を形成している。バラ入り具材入り即席めん仕様の場合は、バラ入り具材が容器本体２０外に散乱することを防ぐ密閉蓋として機能し、調味料袋付き即席めん仕様の場合は、即席めんを密閉する密閉蓋ならびに調味料袋と即席めんとを仕切る仕切り蓋として機能するもので、熱湯調理時に内容器蓋３０は使用されないため、通気孔３７は設けられていない。
【００５１】
また、内容器蓋３０の嵌合壁３２が一定以上の強度を備える場合には、上端部に周設される係止部３１の形状について、上記の通り内側に向かって周設される形態を特に採用することなく、嵌合壁３２の厚みで形成される形態とすることも可能である。
【００５２】
外容器蓋４０は、紙を主体として紙／ポリエチレン、ポリエチレン／紙／ポリエチレンを組み合わせた多層材料の素材で成形加工され、下端部に内側に向かって周設される係止部４１を形成すると共に、下方が開口される開口部４２と、板状の天面部４３を備える容器蓋を形成している。
【００５３】
なお、内容器蓋３０と外容器蓋４０は、紙を主体として形成されていることから、図９に示される樹脂製のような連続する凹凸形状に成形できないため、紙加工によって容易に成形できる形状の内容器蓋３０と外容器蓋４０とに分割し、それらを組み合わせることによって樹脂製と同様の容器蓋の効果を果たしているものである。
【００５４】
係止部４１は、紙を内側に二重に重ね貼りし、端部をカール状に巻き込んだもので、その重ね貼りした一部に紙の厚さ分だけの段差が形成されるもので、その形成された段差に容器本体２０の係止部２１が落とし込まれて係止されるものである。
【００５５】
嵌合圧押し込み巾Ｌは、内容器蓋３０のテーパ状の嵌合壁３２の外壁面３３が容器本体２０の収納部２２のテーパ状の内壁面２３に接触状態で軽く嵌合される状態からそれらが強く嵌合して互いが動かないように圧接した状態になるまでの嵌合移動距離をさすもので、本発明の紙製の即席食品容器の場合は、略２．５〜３．０ｍｍ程度の嵌合圧押し込み巾が確保される。言い換えれば、強く嵌合して互いが動かないように圧接した状態から軽く嵌合される状態（振動や経時変化によって戻る状態も含む）になるまで略２．５〜３．０ｍｍ程度の嵌合圧が掛かった状態の戻り巾が実現するもので、その戻り巾の範囲内（中間点位が好ましい）で外容器蓋４０の係止部４１と、容器本体２０の係止部２１とが係合されれば、容器本体２０と外容器蓋４０は嵌合圧が掛かった状態で確実に係合されるものであり、その結果、容器本体２０と内容器蓋３０と外容器蓋４０とが嵌合圧が掛かった状態で相互に封止状態となるものである。
【００５６】
食材Ｓとしては、主に湯切りが必要ない即席めん（ラーメン、そば、春雨など）や、湯切りが必要な焼そば、生めん、スパゲッテイならびにつけ麺が使用されることとなる。
【００５７】
図２（ｂ）は、工場製造時の梱包工程手順を示す説明図である。
（１）即席めんならびにバラ入り具材が投入された容器本体２０の上方から内容器蓋３０が挿嵌される。
（２）挿嵌された内容器蓋３０のテーパ状の嵌合壁３２の外壁面３３が容器本体２０の収納部２２のテーパ状の内壁面２３に当接するように嵌合される。
（３）内容器蓋３０の上端部の係止部３１を外容器蓋４０の天面部４３の内壁面４４に当接させ、その状態で該外容器蓋４０を上方から押し込む。
（４）押し込まれた外容器蓋４０の係止部４１を、容器本体２０の係止部２１に係止させる。
【００５８】
このようにして封止された容器本体２０と内容器蓋３０と外容器蓋４０とは、嵌合圧が掛かった状態で相互に封止状態となるため、封入性と再封性と密封性を備えることができるものである。
【００５９】
図３は、本発明の請求項１記載の即席食品容器１０における使用状態を示す説明図である。
（１）即席めんならびにバラ入り具材が収納部２２内に投入された容器本体２０と、内容器蓋３０と、外容器蓋４０とで構成される即席食品容器１０が用意される。
（２）容器本体２０から、内容器蓋３０と外容器蓋４０を取り出す。このとき、具材袋入り即席めんの場合は、内容器蓋３０の底面部３４上に載置された具材袋をこの時点で取り出して容器本体２０に入れる。
（３）即席めんならびにバラ入り具材が投入されている容器本体２０の収納部２２内に、熱湯を注ぐ。
（４）外容器蓋４０を容器本体２０に被せて密封する。
（５）外容器蓋４０を容器本体２０に被せて密封した状態で、一定時間の経過を待って熱湯調理する。
（６）一定時間が経過した段階で、容器本体２０から外容器蓋４０を外す。
（７）容器本体２０の収納部２２内の熱湯調理された即席めんを食する。
（８）食後、容器本体２０と内容器蓋３０と外容器蓋３０を重ねて廃棄処分する。
【実施例２】
【００６０】
図４は、本発明の請求項２記載の即席食品容器１０における実施形態を示す説明図であり、図４（ａ）は全体斜視図、図４（ｂ）は分解斜視図を示している。
本発明の即席食品容器１０は、容器本体２０と、該容器本体２０内に納められる湯切り用穴３５が設けられた内容器蓋３０と、該容器本体２０に係合する外容器蓋４０と、で構成されるもので、焼そば、生めん、スパゲッテイなどの食材Ｓが収納される仕様の即席食品容器１０である。
【００６１】
湯切り用穴３５は、内容器蓋３０の板状の底面部３４に設けられるもので、即席めんの湯切り用の穴と、容器本体２０と内容器蓋３０の通気用の穴として利用されるものである。
【００６２】
図４（ｃ）は、容器本体２０と内容器蓋３０と外容器蓋４０とが相互に封止状態となる説明図である。
本実施形態の即席食品容器１０の構造上の最大の特徴は、内容器蓋３０のテーパ状の嵌合壁３２の外壁面３３を容器本体２０における収納部２２のテーパ状の内壁面２３に当接するように該内容器蓋３０を上方から容器本体２０の収納部２２内に挿嵌し、さらに、該内容器蓋３０の係止部３１に外容器蓋４０の板状の天面部４３の内壁面４４が当接するように該外容器蓋４０を押し込んだ状態で、外容器蓋４０の係止部４１と容器本体２０の係止部２１とを係合させることで、容器本体２０と内容器蓋３０、外容器蓋４０とが嵌合圧が掛かった状態で相互に封止状態となるため封入性と再封性と密封性を備えることができるものである。
【００６３】
図５は、本発明の請求項２記載の即席食品容器１０における断面説明図であり、図５（ａ）は各部品構成の断面を示している。
内容器蓋３０は、紙を主体とした単層材料の素材で成形加工され、上端部に内側に向かって周設される係止部３１を形成すると共に、下方に向かってテーパ状に縮径される嵌合壁３２と板状の底面部３４を備える容器蓋を形成している。
【００６４】
本実施形態の即席食品容器１０は、内容器蓋３０のテーパ状の嵌合壁３２の外壁面３３が容器本体２０における収納部２２のテーパ状の内壁面２３に当接するように内容器蓋３０を上方から容器本体２０の収納部２２内に挿嵌し、さらに、該内容器蓋３０の係止部３１に外容器蓋４０の板状の天面部４３の内壁面４４が当接するように該外容器蓋４０を押し込んだ状態で、外容器蓋４０の係止部４１と容器本体２０の係止部２１とを係合させることで、容器本体２０と内容器蓋３０と外容器蓋４０とが嵌合圧が掛かった状態で相互に封止状態となるため封入性と再封性と密封性を備えることができるものである。
【００６５】
図５（ｂ）は、工場製造時の梱包工程手順を示す説明図である。
（１）即席めんならびに調味料具材が投入された容器本体２０の上方から内容器蓋３０が挿嵌される。
（２）挿嵌された内容器蓋３０のテーパ状の嵌合壁３２の外壁面３３が容器本体２０の収納部２２のテーパ状の内壁面２３に当接するように嵌合させる。
（３）内容器蓋３０の上端部の係止部３１を外容器蓋４０の板状の天面部４３の内壁面４４に当接させ、その状態で該外容器蓋４０を上方から押し込む。
（４）押し込まれた外容器蓋４０の係止部４１を、容器本体２０の係止部２１に係止させる。
【００６６】
このようにして封止された容器本体２０と内容器蓋３０と外容器蓋４０とは、相互に封止状態となって、封入性と再封性と密封性を備えることができるものである。
【００６７】
図６は、本発明の請求項２記載の即席食品容器１０における使用状態を示す説明図である。
（１）即席めんならびにバラ入り具材が収納部２２内に投入された容器本体２０と、調味料具材袋が底面部３４上に載置された内容器蓋３０と、外容器蓋４０とで構成される即席食品容器１０が用意される。
（２）容器本体２０から、内容器蓋３０と外容器蓋４０を取り出す。このとき、具材袋入り即席めんの場合は、内容器蓋３０の底面部３４上に載置された具材袋をこの時点で取り出して容器本体２０に入れる。
（３）即席めんならびにバラ入り具材が投入されている容器本体２０の収納部２２内に、熱湯を注ぐ。
（４）容器本体２０に、内容器蓋３０と外容器蓋４０とを被せて密封する。
（５）外容器蓋４０を容器本体２０に被せて密封した状態で、一定時間の経過を待って熱湯調理する。
（６）一定時間が経過した段階で、容器本体２０から外容器蓋４０のみを外し、内容器蓋３０を付けた状態で湯切りを行う。
（７）容器本体２０から内容器蓋３０を外す。
（８）容器本体２０の収納部２２内の熱湯調理された即席めんに調味料をかけて混ぜ合わせた後、当該即席めんを食する。
（９）食後、容器本体２０と内容器蓋３０と外容器蓋４０を重ねて廃棄処分する。
【００６８】
図７は、本発明の請求項２記載の即席食品容器１０における別の実施形態を示す説明図であり、図７（ａ）は全体斜視図、図７（ｂ）は使用状態図を示している。
本実施形態の即席食品容器１０は、外容器蓋４０の外壁高さを長尺とすることで、その内部にカップ状の収納部４５を形成して成り、つけ麺仕様の即席食品容器１０である。
【００６９】
外容器蓋４０は、つけ麺用のつけ汁を収納可能なカップ状の収納部４５を形成しているもので、上記使用状態の（８）における容器本体２０の収納部２２内の熱湯調理された即席めんに調味ソース等をかけて混ぜ合わせた後、当該即席めんをつけ汁に漬けつつ食する際に使用されるものである。
【実施例３】
【００７０】
図８は、本発明の請求項３記載の即席食品容器１０における実施形態を示す断面説明図である。
本実施形態の即席食品容器１０は、容器本体２０と、内容器蓋３０と、外容器蓋４０とが、合成樹脂素材または生分解性素材により其々一体成型されて形成されるものである。
【００７１】
合成樹脂素材の即席食品容器１０としては、プラスチック樹脂やポリスチレン樹脂による射出成形やポリプロピレン樹脂シートなどの単層シート材料を真空成形法などによりシート成形されて製造されるものである。
また、生分解性素材の即席食品容器１０としては、ポリ乳酸、ポリカプロラクトン、ポリヒドロキシアルカノエート、ポリグリコール酸、変性ポリビニルアルコール、カゼイン、変性澱粉と、石油由来ではＰＥＴ共重合体を使用して製造されるものである。
【００７２】
即席食品容器１０が合成樹脂素材で製造されることにより、製造原価のコストダウンが図れると共に複雑形状の容器蓋５０を成形することができるため、内容器蓋３０と外容器蓋４０の一体化を図ることが可能である。また、生分解性素材で製造されることにより、ごみを出さない、植栽コスト削減、植物を痛めないなど、環境循環型リサイクルの地球環境に優しい即席食品容器１０の提供が可能となる。
【００７３】
図示される嵌合状態の嵌合圧押し込み巾Ｌは、内容器蓋３０のテーパ状の嵌合壁３２の外壁面３３が容器本体２０の収納部２２のテーパ状の内壁面２３に接触状態で軽く嵌合される状態からそれらが強く嵌合して互いが動かないように圧接した状態になるまでの嵌合移動距離をさすもので、本発明の紙製の即席食品容器１０の場合は、略２．５〜３．０ｍｍ程度の嵌合圧押し込み巾が確保される。言い換えれば、強く嵌合して互いが動かないように圧接した状態から軽く嵌合される状態（振動や経時変化によって戻る状態も含む）になるまで略２．５〜３．０ｍｍ程度の嵌合圧が掛かった状態の戻り巾が実現するもので、その戻り巾の範囲内（中間点位が好ましい）で外容器蓋４０の係止部４１と、容器本体２０の係止部２１とが係合されれば、容器本体２０と外容器蓋４０は嵌合圧が掛かった状態で係合されるものであり、その結果、容器本体２０と内容器蓋３０と外容器蓋４０とが嵌合圧が掛かった状態で相互に封止状態となるため封入性と再封性と密封性を備えることができるものである。
【実施例４】
【００７４】
図９は、本発明の請求項４記載の即席食品容器１０における実施形態を示す断面説明図である。
本実施形態の即席食品容器１０は、前記内容器蓋３０と前記外容器蓋４０とを一体化した容器蓋５０を一体成型する態様であって、容器本体２０の係止部２１を挿入可能とすると共に、上方または下方が開口する収納空間３６を形成し、該収納空間３６の一部に箸やフォークで押し込んで開孔できる押し込み式の通気孔または湯通し穴３７を設けて形成されるものである。
【００７５】
図９（ａ）は即席食品容器１０の下方が開口する収納空間３６が形成された実施形態を示すもので、図９（ｂ）は即席食品容器１０の外容器蓋４０の上方が開口する収納空間３６が形成された実施形態を示すものである。
図示される嵌合状態の嵌合圧押し込み巾Ｌは、容器蓋５０（内容器蓋３０と外容器蓋４０とを一体化したもの）のテーパ状の嵌合壁３２の外壁面３３が容器本体２０の収納部２２のテーパ状の内壁面２３に接触状態で軽く嵌合される状態からそれらが強く嵌合して互いが動かないように圧接した状態になるまでの嵌合移動距離をさすもので、本発明の紙製の即席食品容器の場合は、略２．５〜３．０ｍｍ程度の嵌合圧押し込み巾が確保される。言い換えれば、強く嵌合して互いが動かないように圧接した状態から軽く嵌合される状態（振動や経時変化によって戻る状態も含む）になるまで略２．５〜３．０ｍｍ程度の嵌合圧が掛かった状態の戻り巾が実現するもので、その戻り巾の範囲内（中間点位が好ましい）で容器蓋５０の係止部４１と、容器本体２０の係止部２１とが係合されれば、容器本体２０と容器蓋５０は嵌合圧が掛かった状態で係合されるものであり、その結果、容器本体２０と容器蓋５０とが嵌合圧が掛かった状態で相互に封止状態となるため封入性と再封性と密封性を備えることができるものである。
【００７６】
通気孔または湯通し穴３７は、内容器蓋３０の一部に容器本体２０内の空気抜き用または湯通し用に設けられるもので、通常はシール３８で塞がれており、熱湯調理時または湯通し時に該シール３８を内容器蓋３０の底面部３４から剥がして使用されるものである。
【産業上の利用可能性】
【００７７】
本発明の即席食品容器１０は、包装時の容器本体２０に収容されている食材Ｓの封入性と、熱湯調理時の容器本体２０と内容器蓋３０と外容器蓋４０との再封性ならびに密封性を備える構造と、容器本体２０の転倒や直接即席めんを食する場合のやけどの危険性を防止する構造と、即席食品容器１０の使用後のリサイクル活用を可能とする構造と、ゴミ資源を削減する構造と、製造時のコスト削減が図れる構造と、を備える即席食品容器１０であると共に、生ラーメンや生うどん、蕎麦、カレーライス、シチュー、調理ご飯など、店頭販売されるテイクアウト用やドライブスルー用の食品容器として利用することもできることから、本発明における即席食品容器１０の産業上の利用可能性は大であると解する。
【符号の説明】
【００７８】
１０    即席食品容器
２０    容器本体
２１    係止部
２２    収納部
２３    内壁面部
３０    内容器蓋
３１    係止部
３２    嵌合壁
３３    外壁面
３４    底面部
３５    湯切り用穴
３６    収納空間
３７    通気孔または湯通し穴
３８    シール
４０    外容器蓋
４１    係止部
４２    開口部
４３    天面部
４４    内壁面
４５    収納部
４６    側壁内面
４７    凹部
５０  容器蓋
Ｌ    嵌合圧押し込み巾
Ｓ    食材
【要約】
【課題】包装時と熱湯調理時において、容器本体と内容器蓋と外容器蓋とが嵌合圧が掛かった状態で相互に封止状態となる即席食品容器の提供を図る。
【解決手段】即席めんなどの食材が収納される容器本体と、該容器本体内に納められる内容器蓋と、該容器本体に係合する外容器蓋と、で構成される即席食品容器であって、内容器蓋のテーパ状の嵌合壁の外壁面が容器本体における収納部のテーパ状の内壁面に当接するように上方から挿嵌し、該内容器蓋の係止部に外容器蓋の天面部の内壁を当接させて押し込んだ状態で、外容器蓋の係止部と容器本体の係止部とを係合させることで、容器本体と内容器蓋と外容器蓋とが嵌合圧が掛かった状態で相互に封止状態となる手段を採る。
【選択図】図1【図１】
0005233060.tif 000002
【図２】
0005233060.tif 000003
【図３】
0005233060.tif 000004
【図４】
0005233060.tif 000005
【図５】
0005233060.tif 000006
【図６】
0005233060.tif 000007
【図７】
0005233060.tif 000008
【図８】
0005233060.tif 000009
【図９】
0005233060.tif 000010